(57)【特許請求の範囲】
【請求項１】
読取る複数の原稿に対し、カラーまたはモノクロの原稿種別を指定する入力操作を受付ける操作部と、
前記複数の原稿の画像を読取る読取部と、
前記読取部が読取った原稿の画像毎に、カラー画素数を算出し、該カラー画素数が閾値を超えているとカラーと判定し、前記閾値を超えていないとモノクロと判定するカラーモノクロ判定を行う判定部と、
前記原稿の画像毎に前記カラーモノクロ判定の結果が前記指定された原稿種別と一致するように調整閾値を算出し、算出したそれぞれの調整閾値を前記閾値として前記原稿の画像に対してカラーモノクロ判定し、前記カラーモノクロ判定結果と、前記指定された原稿種別との一致率を算出し、前記調整閾値と前記一致率に基づいて前記閾値を決定する調整部と、
前記調整部が決定した前記閾値を登録する登録部と、
を有し、
前記操作部は、前記調整部が決定した閾値を変更する手段を有し、
前記読取部は、
表示部に表示された画面において前記閾値の調整を指示する操作が入力されると、複数の原稿の画像を読取り、
前記調整部は、
前記読取部が読取った複数の原稿画像に対して前記調整閾値と前記一致率に基づいて決定した前記閾値を用いて前記判定部が行ったカラーモノクロ判定結果を閾値調整画面として表示部に表示させ、
前記閾値調整画面において前記操作部で前記閾値が変更されると、変更された該閾値を用いて前記判定部が行った複数の原稿画像に対するカラーモノクロ判定結果を表示部に再表示させることを特徴とする画像処理装置。
【請求項２】
請求項１に記載の画像処理装置において、
前記読取部は、
表示部に表示された画面において前記操作部でカラーの原稿種別が指定された場合、原稿の画像をカラーモードとして読取り、
表示部に表示された画面において前記操作部でモノクロの原稿種別が指定された場合、原稿の画像をモノクロモードとして読取り、
前記調整部は、
前記カラーモードまたは前記モノクロモードと一致するように調整閾値を算出することを特徴とする画像処理装置。
【請求項３】
請求項１または請求項２に記載の画像処理装置において、
前記調整部は、
前記原稿種別がカラーとして指定された前記原稿の画像毎の前記調整閾値のうち最も小さい値の第１の調整閾値と、前記原稿種別がモノクロとして指定された前記原稿の画像毎の前記調整閾値のうち最も大きい値の第２の調整閾値とを算出し、
さらに、前記第１の調整閾値の前記一致率と、前記第２の調整閾値の前記一致率と比較し、一致率が高い調整閾値を前記閾値と決定することを特徴とする画像処理装置。
【請求項４】
請求項１から請求項３のいずれかに記載の画像処理装置において、
前記調整部は、
前記原稿種別がカラーとして指定された前記原稿の画像毎の前記調整閾値を、前記判定部で算出した前記原稿の画像毎のカラー画素数に１を減算して算出し、
前記原稿種別がモノクロとして指定された前記原稿の画像毎の前記調整閾値を、前記判定部で算出した前記原稿の画像毎のカラー画素数から１を加算して算出することを特徴とする画像処理装置。
【請求項５】
読取る複数の原稿に対し、カラーまたはモノクロの原稿種別を指定する入力操作を受付ける操作部と、
前記複数の原稿の画像を読取る読取部と、
前記読取部が読取った原稿の画像毎に、カラー画素数を算出し、該カラー画素数が閾値を超えているとカラーと判定し、前記閾値を超えていないとモノクロと判定するカラーモノクロ判定を行う判定部と、
前記原稿の画像毎に前記カラーモノクロ判定の結果が前記指定された原稿種別と一致するように調整閾値を算出し、算出したそれぞれの調整閾値を前記閾値として前記原稿の画像に対してカラーモノクロ判定し、前記カラーモノクロ判定結果と、前記指定された原稿種別との一致率を算出し、前記調整閾値と前記一致率に基づいて前記閾値を決定する調整部と、
前記調整部が決定した前記閾値を登録する登録部と、
を有し、
前記調整部は、
前記原稿種別がカラーとして指定された前記原稿の画像毎の前記調整閾値のうち最も小さい値の第１の調整閾値と、前記原稿種別がモノクロとして指定された前記原稿の画像毎の前記調整閾値のうち最も大きい値の第２の調整閾値とを算出し、
さらに、前記第１の調整閾値の前記一致率と、前記第２の調整閾値の前記一致率と比較し、一致率が高い調整閾値を前記閾値と決定することを特徴とする画像処理装置。
【請求項６】
請求項５に記載の画像処理装置において、
前記調整部は、
前記原稿種別がカラーとして指定された前記原稿の画像毎の前記調整閾値を、前記判定部で算出した前記原稿の画像毎のカラー画素数に１を減算して算出し、
前記原稿種別がモノクロとして指定された前記原稿の画像毎の前記調整閾値を、前記判定部で算出した前記原稿の画像毎のカラー画素数から１を加算して算出することを特徴とする画像処理装置。
【請求項７】
読取る複数の原稿に対し、カラーまたはモノクロの原稿種別を指定する入力操作を受付ける操作部と、
前記複数の原稿の画像を読取る読取部と、
前記読取部が読取った原稿の画像毎に、カラー画素数を算出し、該カラー画素数が閾値を超えているとカラーと判定し、前記閾値を超えていないとモノクロと判定するカラーモノクロ判定を行う判定部と、
前記原稿の画像毎に前記カラーモノクロ判定の結果が前記指定された原稿種別と一致するように調整閾値を算出し、算出したそれぞれの調整閾値を前記閾値として前記原稿の画像に対してカラーモノクロ判定し、前記カラーモノクロ判定結果と、前記指定された原稿種別との一致率を算出し、前記調整閾値と前記一致率に基づいて前記閾値を決定する調整部と、
前記調整部が決定した前記閾値を登録する登録部と、
を有し、
前記調整部は、
前記原稿種別がカラーとして指定された前記原稿の画像毎の前記調整閾値を、前記判定部で算出した前記原稿の画像毎のカラー画素数に１を減算して算出し、
前記原稿種別がモノクロとして指定された前記原稿の画像毎の前記調整閾値を、前記判定部で算出した前記原稿の画像毎のカラー画素数から１を加算して算出することを特徴とする画像処理装置。
【請求項８】
請求項７に記載の画像処理装置において、
前記調整部は、
前記原稿種別がカラーとして指定された前記原稿の画像毎の前記調整閾値のうち最も小さい値の第１の調整閾値と、前記原稿種別がモノクロとして指定された前記原稿の画像毎の前記調整閾値のうち最も大きい値の第２の調整閾値とを算出し、
さらに、前記第１の調整閾値の前記一致率と、前記第２の調整閾値の前記一致率と比較し、一致率が高い調整閾値を前記閾値と決定することを特徴とする画像処理装置。
【請求項９】
請求項５から請求項８のいずれかに記載の画像処理装置において、
前記操作部は、
前記調整部が決定した閾値を変更する手段を有することを特徴とする画像処理装置。
【請求項１０】
請求項９に記載の画像処理装置において、
前記調整部は、
前記操作部で変更された前記閾値で前記判定部が行ったカラーモノクロ判定結果に基づいて前記複数の原稿を識別する情報をカラーまたはモノクロに分類して表示部に表示させることを特徴とする画像処理装置。
【請求項１１】
請求項１から請求項１０のいずれかに記載の画像処理装置において、
前記調整部は、
決定した前記閾値で行ったカラーモノクロ判定結果に基づいて前記複数の原稿を識別する情報をカラーまたはモノクロに分類して表示部に表示させることを特徴とする画像処理装置。
【請求項１２】
請求項１から請求項１１のいずれかに記載の画像処理装置を有することを特徴とする画像形成装置。
【請求項１３】
請求項１から請求項１１のいずれかに記載の画像処理装置を有することを特徴とする画像読取装置。
【請求項１４】
画像処理装置が行う画像処理方法において、
読取る複数の原稿に対し、カラーまたはモノクロの原稿種別を指定する入力操作を受付けるステップと、
前記複数の原稿の画像を読取部で読取るステップと、
前記読取部が読取った原稿の画像毎に、カラー画素数を算出し、該カラー画素数が閾値を超えているとカラーと判定し、前記閾値を超えていないとモノクロと判定するカラーモノクロ判定を行うステップと、
前記原稿の画像毎に前記カラーモノクロ判定の結果が前記指定された原稿種別と一致するように調整閾値を算出し、算出したそれぞれの調整閾値を前記閾値として前記原稿の画像に対してカラーモノクロ判定し、前記カラーモノクロ判定結果と、前記指定された原稿種別との一致率を算出し、前記調整閾値と前記一致率に基づいて前記閾値を決定するステップと、
前記読取部が読取った複数の原稿画像に対して前記調整閾値と前記一致率に基づいて決定した前記閾値を用いてカラーモノクロ判定を行い、前記カラーモノクロ判定の結果を閾値調整画面として表示部に表示するステップと、
前記閾値調整画面において前記閾値が変更されると、変更された該閾値を用いて複数の原稿画像に対するカラーモノクロ判定を行い、そのカラーモノクロ判定の結果を表示部に再表示させるステップと、
を有することを特徴とする画像処理方法。
【発明の詳細な説明】
【技術分野】
【０００１】
本発明は、読取った原稿画像に基づいて原稿がカラーまたはモノクロであるかを判定する画像処理装置、画像形成装置、画像読取装置および画像処理方法に関する。
【背景技術】
【０００２】
従来の画像処理装置は、カラー印刷とモノクロ印刷とでは、プロセスの違いにより印刷に要する時間およびインクの消費量が異なるため、読取った原稿がカラーまたはモノクロであるかを判定するカラーモノクロ判定を行い、適切なモードで印刷するようにしている（例えば、特許文献１参照）。
このような画像処理装置では、カラーモノクロ判定においてカラーまたはモノクロであるかを判定する閾値を調整することが可能になっており、ユーザの操作により調整用の原稿をスキャナで読取ることにより、所望の閾値でカラーモノクロ判定を行うことができるようにしている。
【先行技術文献】
【特許文献】
【０００３】
【特許文献１】特開平１１−３２７３７６号公報
【発明の概要】
【発明が解決しようとする課題】
【０００４】
しかしながら、従来の技術においては、カラーモノクロ判定の閾値を調整するとき、調整用の原稿をスキャナで読み取り、読取った調整用の原稿に基づいて閾値を調整するようにしているため、調整用の原稿によってカラーモノクロ判定の精度が低下してしまうことがあるという問題がある。
本発明は、このような問題を解決することを課題とし、カラーモノクロ判定の精度を向上させることを目的とする。
【課題を解決するための手段】
【０００５】
そのため、本発明は、読取る複数の原稿に対し、カラーまたはモノクロの原稿種別を指定する入力操作を受付ける操作部と、前記複数の原稿の画像を読取る読取部と、前記読取部が読取った原稿の画像毎に、カラー画素数を算出し、該カラー画素数が閾値を超えているとカラーと判定し、前記閾値を超えていないとモノクロと判定するカラーモノクロ判定を行う判定部と、前記原稿の画像毎に前記カラーモノクロ判定の結果が前記指定された原稿種別と一致するように調整閾値を算出し、算出したそれぞれの調整閾値を前記閾値として前記原稿の画像に対してカラーモノクロ判定し、前記カラーモノクロ判定結果と、前記指定された原稿種別との一致率を算出し、前記調整閾値と前記一致率に基づいて前記閾値を決定する調整部と、前記調整部が決定した前記閾値を登録する登録部と、を有し、前記操作部は、前記調整部が決定した閾値を変更する手段を有し、前記読取部は、表示部に表示された画面において前記閾値の調整を指示する操作が入力されると、複数の原稿の画像を読取り、前記調整部は、前記読取部が読取った複数の原稿画像に対して前記調整閾値と前記一致率に基づいて決定した前記閾値を用いて前記判定部が行ったカラーモノクロ判定結果を閾値調整画面として表示部に表示させ、前記閾値調整画面において前記操作部で前記閾値が変更されると、変更された該閾値を用いて前記判定部が行った複数の原稿画像に対するカラーモノクロ判定結果を表示部に再表示させることを特徴とする。
【発明の効果】
【０００６】
このようにした本発明は、カラーモノクロ判定の精度を向上させることができるという効果が得られる。
【図面の簡単な説明】
【０００７】
【図１】実施例における画像処理装置の制御構成を示すブロック図
【図２】実施例における複合機の外観斜視図
【図３】実施例における操作画面の説明図
【図４】実施例におけるＡＣＳ閾値調整処理の流れを示すフローチャート
【図５】実施例におけるＡＣＳ閾値決定処理の流れを示すフローチャート
【図６】実施例におけるＡＣＳ閾値決定方法の説明図
【発明を実施するための形態】
【０００８】
以下、図面を参照して本発明による画像処理装置、画像形成装置、画像読取装置および画像処理方法の実施例を説明する。
【実施例】
【０００９】
図２は実施例における複合機の外観斜視図である。
図２において、画像形成装置としての複合機１００は、読取った原稿画像に基づいて原稿がカラーまたはモノクロであるかを判定する自動カラー原稿判定（以下、「ＡＣＳ判定」という。）を行うものであり、スキャナ１０１と、載置台１０２と、イメージセンサ１０３と、載置台カバー１０４と、ＡＤＦ（Ａｕｔｏ  Ｄｏｃｕｍｅｎｔ  Ｆｅｅｄｅｒ）１０５と、オペレーションパネル１０６と、プリンタ１０８と、カセット１０９とを有している。本実施例では、スキャナ１０１、載置台１０２、イメージセンサ１０３、載置台カバー１０４、ＡＤＦ１０５、およびオペレーションパネル１０６により画像処理装置を構成している。
【００１０】
スキャナ１０１は、載置台１０２に載置された原稿やＡＤＦ１０５に載置された原稿を読取るものである。
載置台１０２は、原稿を載置するガラス台等である。
イメージセンサ１０３は、載置台１０２に置かれた原稿やＡＤＦ１０５で給紙された原稿を読取るものである。
載置台カバー１０４は、載置台１０２に置かれた原稿の位置を固定し、またイメージセンサ１０３が発光するとき、載置台１０２の原稿以外の領域の露光を防御するものである。
【００１１】
ＡＤＦ１０５は、自動給紙装置であり、載置された原稿を自動的に給紙し、複数枚の原稿をイメージセンサ１０３で読み取らせるものである。
オペレーションパネル１０６は、読取りモードを選択する選択キー等の操作キー、液晶ディスプレイおよびタッチパネル等で構成された入力手段および出力手段である。また、オペレーションパネル１０６は、原稿画像の読取りを開始する操作を受付ける開始ボタン１０７を有している。
【００１２】
プリンタ１０８は、スキャナ１０１で読み取った原稿の画像を印刷用紙に印刷し、また通信回線で接続されたＰＣ（Ｐｅｒｓｏｎａｌ  Ｃｏｍｐｕｔｅｒ）等の外部装置から受信した印刷データを印刷用紙に印刷するものである。
カセット１０９は、内部に印刷用紙を収納するものである。プリンタ１０８は、カセット１０９に収納された印刷用紙を搬送し、その印刷用紙に画像を印刷する。
【００１３】
図１は実施例における画像処理装置の制御構成を示すブロック図である。
図１において、画像処理装置２００は、ユーザインターフェイス部２０１と、原稿読取部２０２と、一時データ保存部２０３と、ＡＣＳ判定部２０４と、ＡＣＳ閾値調整部２０５と、閾値登録部２０６とを有している。なお、画像処理装置２００は、図２に示す複合機１００に備えられている。
【００１４】
表示部および操作部としてのユーザインターフェイス部２０１は、図２に示すオペレーションパネル１０６の表示部に操作画面を表示し、表示した操作画面を操作部としてユーザの入力操作を受付けるものである。
このユーザインターフェイス部２０１は、例えば図３に示す操作画面をオペレーションパネル１０６に表示し、複数の調整用原稿の調整モード（カラー原稿による調整またはモノクロ原稿による調整）の指定の入力、複数の調整用の原稿の判定結果の表示、ＡＣＳ判定で使用する閾値であるＡＣＳ閾値の入力を行うことができるようになっている。
【００１５】
ここで、調整モードとは、読取る複数の調整用原稿に対し、カラーまたはモノクロの原稿種別を指定し、カラー原稿による調整またはモノクロ原稿による調整を指定するものである。
また、ユーザインターフェイス部２０１は、ＡＣＳ閾値を調整するため、原稿読取部２０２、一時データ保存部２０３、ＡＣＳ判定部２０４、ＡＣＳ閾値調整部２０５、および閾値登録部２０６との間で情報の授受が行えるようになっている。
【００１６】
読取部としての原稿読取部２０２は、原稿を読み取り、画像データを生成するものである。原稿読取部２０２は、ユーザインターフェイス部２０１から読取り開始命令を受け取ると、図２に示すスキャナ１０１の原稿台１０２またはＡＤＦ１０５にセットされた複数枚の原稿を読取り、画像データを生成する。原稿読取部２０２は、生成した複数枚の原稿の画像データを一時データ保存部２０３に記憶して保存し、ユーザインターフェイス部２０１に読取り完了情報を通知する。
【００１７】
一時データ保存部２０３は、原稿読取部２０２が生成した画像データと、ユーザインターフェイス部２０１から受け取った調整モード情報を一時的に記憶しておく記憶部である。
【００１８】
判定部としてのＡＣＳ判定部２０４は、原稿読取部２０２が読取った原稿の画像データ毎に、カラー画素数を算出し、該カラー画素数が閾値を超えているとカラーと判定し、閾値を超えていないとモノクロと判定するＡＣＳ判定（カラーモノクロ判定）を行うものである。
より具体的には、ＡＣＳ判定部２０４は、原稿読取部２０２が読取った原稿の画像データ毎に、カラー画素数を算出し、そのカラー画素数が登録されているＡＣＳ閾値を超えている場合、当該原稿の画像データはカラー原稿であると判定し、超えていない場合、当該原稿の画像データはモノクロ原稿であると判定するＡＣＳ判定を行う。
【００１９】
ＡＣＳ判定部２０４は、ユーザインターフェイス部２０１からＡＣＳ判定命令を受け取ると、一時データ保存部２０３から複数の原稿画像データおよび調整モード情報を取得してＡＣＳ判定を行う。ＡＣＳ判定部２０４は、ＡＣＳ判定が完了した後に、ＡＣＳ閾値調整部２０５に複数の原稿画像データのＡＣＳ判定結果およびその調整モード情報を通知する。
調整部としてのＡＣＳ閾値調整部２０５は、ＡＣＳ閾値を調整するものである。ＡＣＳ閾値調整部２０５は、ＡＣＳ判定部２０４から複数の原稿画像データのＡＣＳ判定結果およびその調整モード情報を受け取ると、ＡＣＳ判定結果が調整モード情報になるように、ＡＣＳ閾値を調整する。
【００２０】
より具体的には、ＡＣＳ閾値調整部２０５は、原稿の画像毎に、ＡＣＳ判定部２０４でのＡＣＳ判定（カラーモノクロ判定）の結果が指定された原稿種別（調整モード情報）と一致するように調整閾値（後述するカラー原稿閾値）を算出し、算出したそれぞれの調整閾値をＡＣＳ閾値としてすべての原稿の画像に対してＡＣＳ判定部２０４でＡＣＳ判定し、ＡＣＳ判定結果と、指定された原稿種別（調整モード情報）との一致率を算出し、調整閾値と一致率に基づいてＡＣＳ閾値を決定する。
【００２１】
ＡＣＳ閾値調整部２０５は、調整したＡＣＳ閾値で複数の原稿画像データに対するＡＣＳ判定結果をユーザインターフェイス部２０１に通知する。
閾値登録部２０６は、ＡＣＳ閾値調整部２０５で決定されたＡＣＳ閾値の情報を記憶して登録するものである。閾値登録部２０６は、ユーザインターフェイス部２０１から通知されたＡＣＳ閾値を受け取り、画像処理装置２００に登録する。
【００２２】
図３は実施例における操作画面の説明図である。この操作画面は、図１に示すユーザインターフェイス部２０１が図２に示すオペレーションパネル１０６に表示する操作画面である。
図３（ａ）は、メニュー画面であり、基本設定１１と画質調整１２を選択することができるようになっており、画質調整１２を選択した画質調整画面１０を表示した状態を表している。画質調整画面１０には、「下地除去」、「彩度調整」、「ＲＧＢ調整」、「ＡＣＳ調整」の機能選択ボタンが配置され、「ＡＣＳ調整」の機能を選択する操作ボタン１３が選択されると、図３（ｂ）に示すＡＣＳ閾値調整設定画面２０が表示される。
【００２３】
図３（ｂ）に示すＡＣＳ閾値調整設定画面２０には、ＡＣＳ閾値を決定するための「基本レベルベース」を選択する操作領域２１、「登録モードベース」を選択する操作領域２２、および「ＡＣＳ閾値調整」選択ボタン２３の３つの操作手段が表示される。「基本レベルベース」を選択する操作領域２１でレベルを選択し、「適用」ボタン２４を押下すると、ＡＣＳ閾値が選択されたレベルに対応するＡＣＳ閾値に決定される。
【００２４】
また、「登録モードベース」を選択する操作領域２２で登録モードを選択し、「適用」ボタン２４を押下すると、ＡＣＳ閾値が選択された登録モード（例えば、トナーセーブモード等）に対応する既定のＡＣＳ閾値情報に決定される。
さらに、「ＡＣＳ閾値調整」選択ボタン２３を押下すると、表示される操作画面に従ってユーザが用意した複数のＡＣＳ閾値調整用の原稿を読取り、ＡＣＳ閾値が調整される。
なお、ＡＣＳ閾値調整設定画面２０の戻るボタンを押下すると、図３（ａ）に示す画質調整画面１０が表示される。
【００２５】
以下に、「ＡＣＳ閾値調整」選択ボタン２３が押下された場合の操作画面を説明する。
図３（ｂ）に示すＡＣＳ閾値調整設定画面２０で「ＡＣＳ閾値調整」選択ボタン２３を押下すると、図３（ｃ）に示すＡＣＳ閾値調整用原稿入力画面３０が表示される。ＡＣＳ閾値調整用原稿入力画面３０には、「ＡＣＳ閾値調整  入力原稿をセットして、モードを選択してください。」等の操作ガイドメッセージ３１と、モードをカラーモードとして選択するための「カラーモード」選択ボタン３２およびモードをモノクロモードとして選択するための「モノクロモード」選択ボタン３３と、ＡＣＳ閾値調整を開始する「開始」ボタン３４とが表示される。
【００２６】
ユーザがＡＣＳ閾値調整用の複数の原稿を図２に示すＡＤＦ１０５にセットし、ＡＣＳ閾値調整用原稿入力画面３０のモードを選択（例えば、ＡＣＳ閾値調整用の複数の原稿をカラーとして判定させる場合は、「カラーモード」を選択）すると、ＡＣＳ閾値調整用の複数の原稿が読み取られ、原稿の画像データが選択されたモードを表す情報とともに保存される。さらに、ＡＣＳ閾値調整用原稿入力画面３０の「開始」ボタン３４が押下されると、複合機で読み取ったＡＣＳ閾値調整用の複数の原稿に基づいてＡＣＳ閾値調整が開始される。ＡＣＳ閾値調整が終了すると、調整されたＡＣＳ閾値でＡＣＳ閾値調整用の複数の原稿の判別結果を表示する図３（ｄ）に示す自動調整結果表示画面４０が表示される。
なお、ＡＣＳ閾値調整用原稿入力画面３０の戻るボタンを押下すると、図３（ｂ）に示すＡＣＳ閾値調整設定画面２０が表示される。
【００２７】
図３（ｃ）に示すＡＣＳ閾値調整用原稿入力画面３０の「開始」ボタン３４を押下すると、図３（ｄ）に示すＡＣＳ閾値調整結果表示画面４０が表示される。ＡＣＳ閾値調整結果表示画面４０には、調整されたＡＣＳ閾値を用いてカラーと判定された原稿の番号と、モノクロと判定された原稿の番号とが表示されるＡＣＳ判定結果領域４１と、ＡＣＳ閾値の初期値を図絵（以下、「スライダー」という。）で表示するとともに、ユーザが手動でスライダーをスライドさせてＡＣＳ閾値を調整できるように表示したＡＣＳ閾値調整スライド４２と、ＡＣＳ閾値調整スライド４２で決定されたＡＣＳ閾値を保存する「適用」ボタン４３とが表示される。
【００２８】
例えば、図６に示すカラー原稿１〜４、モノクロ原稿１〜３をＡＣＳ調整用の原稿として読み取り、調整されたＡＣＳ閾値が「６０９」の場合、ＡＣＳ判定結果領域４１には、カラーと判定されたカラー原稿１〜４、およびモノクロ原稿１の番号が表示され、モノクロと判定されたモノクロ原稿２、３の番号が表示される。
また、ＡＣＳ閾値が「６０９」の状態でＡＣＳ閾値調整スライド４２を操作してＡＣＳ閾値を「６４０」（ＡＣＳ閾値調整スライド４２ａ）に変更した場合、図３（ｅ）に示すように、ＡＣＳ判定結果領域４１ａには、カラーと判定されたカラー原稿１〜３の番号が表示され、モノクロと判定されたカラー原稿４、およびモノクロ原稿１〜３の番号が表示される。
【００２９】
このように、ＡＣＳ閾値調整スライド４２は、図１に示すＡＣＳ閾値調整部２０５が決定した閾値を変更することができる手段である。
なお、ＡＣＳ判定結果領域４１、４１ａに表示される原稿は、斜線が施されているものがモノクロ原稿、斜線が施されていないものがカラー原稿を表している。
ユーザがＡＣＳ閾値調整スライド４２でＡＣＳ閾値を調整して「適用」ボタン４３を押下すると、調整されたＡＣＳ閾値が保存され、図３（ｆ）に示すＡＣＳ閾値登録画面５０が表示される。
なお、ＡＣＳ閾値調整結果表示画面４０の「消す」ボタンを押下すると、調整されたＡＣＳ閾値が取り消され、図３（ｃ）に示すＡＣＳ閾値調整用原稿入力画面３０が表示される。
【００３０】
図３（ｄ）に示すＡＣＳ閾値調整結果表示画面４０の「適用」ボタン４３を押下すると、図３（ｆ）に示すＡＣＳ閾値登録画面５０が表示される。ＡＣＳ閾値登録画面５０には、図３（ｂ）に示すＡＣＳ閾値調整設定画面２０で選択された登録モードを表示するモード名５１と、ユーザの名前とＩＤを表示する登録者５２と、図３（ｄ）に示すＡＣＳ閾値調整結果表示画面４０で決定されたＡＣＳ閾値を表示するカラー原稿判定閾値５３と、決定されたＡＣＳ閾値で判別されたカラー原稿およびモノクロ原稿のプレビュー画像を表示するプレビュー画像５４と、カラー原稿判定閾値５３に表示されたＡＣＳ閾値を登録する「適用」ボタン５５とが表示される。
【００３１】
次に、図３に示す操作画面でユーザの操作を受付けて画像処理装置が行うＡＣＳ閾値調整処理の概要を図１および図２を参照しながら説明する。
画像処理装置２００のユーザインターフェイス部２０１は、図３（ｂ）に示すＡＣＳ閾値調整設定画面２０で「ＡＣＳ閾値調整」選択ボタン２３の押下を検知すると、図３（ｃ）に示すＡＣＳ閾値調整用原稿入力画面３０をオペレーションパネル１０６に表示する。
【００３２】
ユーザがＡＣＳ閾値調整用の複数の原稿を画像処理装置２００のＡＤＦ１０５にセットし、図３（ｃ）に示すＡＣＳ閾値調整用原稿入力画面３０のモードを選択すると、ユーザインターフェイス部２０１は、選択されたモードを表す情報を調整モード情報として受け取り、原稿読取部２０２に読取命令を通知する。
原稿読取部２０２は、読取命令を受け取ると、ＡＤＦ１０５に載置された複数の原稿を読取り、読取った原稿の画像データを一時データ保存部２０３へ送る。また、原稿読取部２０２は、ユーザインターフェイス部２０１に読取りが完了した旨を通知する。
【００３３】
ユーザインターフェイス部２０１は、読取りが完了した旨の通知を受けると、一時データ保存部２０３に原稿の画像データの調整モード情報を通知する。
一時データ保存部２０３は、原稿読取部２０２から送られた複数の原稿の画像データを受け取り、保存する。また、一時データ保存部２０３は、ユーザインターフェイス部２０１から通知された調整モード情報を受け取り、保存する。
【００３４】
ユーザが図３（ｃ）に示すＡＣＳ閾値調整用原稿入力画面３０の「開始」ボタン３４を押下すると、ユーザインターフェイス部２０１は、ＡＣＳ判定部２０４にＡＣＳ判定を行う旨の命令を通知する。
ＡＣＳ判定部２０４は、ＡＣＳ判定を行う旨の命令を受けると、一時データ保存部２０３から複数の原稿の画像データおよび調整モード情報を取得し、複数の調整用原稿の画像データについてカラー原稿であるかモノクロ原稿であるかを判定するＡＣＳ判定を行う。なお、ＡＣＳ判定部２０４は、後述するカラー原稿閾値を用いてＡＣＳ判定を行うものとする。
【００３５】
ＡＣＳ判定部２０４は、ＡＣＳ判定を終了すると、複数の原稿の画像データの判定結果および調整モードの情報をＡＣＳ閾値調整部２０５へ通知する。
ＡＣＳ閾値調整部２０５は、複数の原稿の画像データの判定結果および調整モードの情報を受け取ると、ＡＣＳ閾値決定処理を行う。ＡＣＳ閾値調整部２０５は、ＡＣＳ閾値決定処理が完了すると、決定されたＡＣＳ閾値を用いてＡＣＳ判定部２０４によりＡＣＳ判定を行う。ＡＣＳ閾値調整部２０５は、決定されたＡＣＳ閾値を用いて行った複数の原稿の画像データのＡＣＳ判定の結果をユーザインターフェイス部２０１に通知する。
【００３６】
ユーザインターフェイス部２０１は、複数の原稿の画像データの判定の結果を受け取ると、図３（ｄ）に示すＡＣＳ閾値調整結果表示画面４０をオペレーションパネル１０６に表示する。
ユーザインターフェイス部２０１は、ＡＣＳ閾値調整部２０５から受け取ったＡＣＳ判定結果に基づいて複数の原稿を識別する情報としての原稿の番号をカラーまたはモノクロに分類してＡＣＳ判定結果領域４１に表示する。
【００３７】
なお、ユーザインターフェイス部２０１は、ＡＣＳ閾値調整結果表示画面４０のＡＣＳ閾値調整スライド４２でＡＣＳ閾値が変更された場合、変更されたＡＣＳ閾値でＡＣＳ判定部２０４によるＡＣＳ判定を行い、ＡＣＳ閾値調整部２０５から受け取ったＡＣＳ判定結果に基づいて複数の原稿を識別する情報としての原稿の番号をカラーまたはモノクロに分類してＡＣＳ判定結果領域４１に再表示する。
ユーザインターフェイス部２０１は、ユーザによりＡＣＳ閾値調整結果表示画面４０の「適用」ボタン４３が押下されたことを検知すると、図３（ｆ）に示すＡＣＳ閾値登録画面５０をオペレーションパネル１０６に表示する。
【００３８】
ユーザインターフェイス部２０１は、ユーザによりＡＣＳ閾値登録画面５０の「適用」ボタン５５が押下されたことを検知すると、ＡＣＳ閾値調整部２０５および閾値登録部２０６に閾値登録命令を通知する。ＡＣＳ閾値調整部２０５は、閾値登録命令を受け取ると、調整された閾値の情報を閾値登録部２０６に通知する。閾値登録部２０６は、調整された閾値の情報を受け取ると、その閾値の情報を画像処理装置２００に登録する。
このようにして画像処理装置２００は、ＡＣＳ閾値調整処理を行う。
【００３９】
上述した構成の作用について説明する。
まず、複合機の動作の概要を図１および図２に基づいて説明する。複合機１００が読取った原稿の画像を媒体に印刷する複写処理を例として説明する。
複合機１００は、ユーザにより載置台１０２またはＡＤＦ１０５に載置された原稿をイメージセンサ１０３で読取る。複合機１００に備えられた画像処理装置２００の原稿読取部２０２は、イメージセンサ１０３で読取った原稿の画像データを生成し、一時データ保存部２０３に保存する。
ＡＣＳ判定部２０４は、一時データ保存部２０３に保存された原稿の画像データを読み出し、閾値登録部２０６で登録されたＡＣＳ閾値を用いてＡＣＳ判定を行う。
【００４０】
複合機１００は、画像処理装置２００のＡＣＳ判定部２０４のＡＣＳ判定結果に基づいてイメージセンサ１０３で読取った原稿の画像データをプリンタ１０８で印刷を行う。
このとき、複合機１００は、ＡＣＳ判定でカラー原稿と判定された画像データをプリンタ１０８でイエロー色、マゼンタ色、シアン色、ブラック色等のカラートナーを使用して媒体に印刷する。
また、複合機１００は、ＡＣＳ判定でモノクロ原稿と判定された画像データをモノクロ画像データに変換し、変換した画像データをプリンタ１０８でブラック色等のモノクロトナーを使用して媒体に印刷する。
【００４１】
次に、画像処理装置が行うＡＣＳ閾値調整処理を図４の実施例におけるＡＣＳ閾値調整処理の流れを示すフローチャートの図中Ｓが表すステップに従って図１、図２および図３を参照しながら説明する。
Ｓ１０１：画像処理装置２００のユーザインターフェイス部２０１は、図３（ａ）に示す画質調整画面１０で「ＡＣＳ調整」の機能を選択する操作ボタン１３の押下を検知すると、図３（ｂ）に示すＡＣＳ閾値調整設定画面２０をオペレーションパネル１０６に表示する。
【００４２】
ユーザインターフェイス部２０１は、図３（ｂ）に示すＡＣＳ閾値調整設定画面２０で「ＡＣＳ閾値調整」選択ボタン２３の押下を検知すると、図３（ｃ）に示すＡＣＳ閾値調整用原稿入力画面３０をオペレーションパネル１０６に表示し、処理をＳ１０２へ移行する。一方、ＡＣＳ閾値調整設定画面２０で基本レベルベースまたは登録モードベースが選択され、「適用」ボタン２４の押下を検知すると、処理をＳ１０９へ移行する。
Ｓ１０２：ユーザは、ＡＣＳ閾値調整用原稿入力画面３０に表示されたガイドメッセージに従ってＡＣＳ閾値調整用の複数の原稿を画像処理装置２００のＡＤＦ１０５にセットするものとする。
【００４３】
Ｓ１０３：さらに、ユーザは、ＡＣＳ閾値調整用原稿入力画面３０に表示されたモードを選択するための「カラーモード」選択ボタン３２または「モノクロモード」選択ボタン３３を押下するものとする。
ユーザインターフェイス部２０１は、ＡＣＳ閾値調整用原稿入力画面３０で「カラーモード」選択ボタン３２または「モノクロモード」選択ボタン３３の押下を検知すると、読取部２０２に読取命令を通知する。また、ユーザインターフェイス部２０１は、「カラーモード」選択ボタン３２の押下を検知すると、カラーモードを調整モード情報とする。ユーザインターフェイス部２０１は、「モノクロモード」選択ボタン３３の押下を検知すると、モノクロモードを調整モード情報とする。
【００４４】
原稿読取部２０２は、読取命令を受け取ると、ＡＤＦ１０５に載置された複数の原稿を読取り、読取った原稿の画像データを一時データ保存部２０３へ送る。また、原稿読取部２０２は、ユーザインターフェイス部２０１に読取りが完了した旨を通知する。
ユーザインターフェイス部２０１は、読取りが完了した旨の通知を受けると、一時データ保存部２０３に、読取った複数の原稿の画像データの調整モード情報を通知する。
一時データ保存部２０３は、原稿読取部２０２から送られた複数の原稿の画像データを受け取る。また、一時データ保存部２０３は、ユーザインターフェイス部２０１から通知された調整モード情報を受け取る。一時データ保存部２０３は、複数の原稿の画像データとともに調整モード情報を保存する。
【００４５】
Ｓ１０４：Ｓ１０３において複数の原稿の読取りを行った後、ユーザインターフェイス部２０１は、ＡＣＳ閾値調整用原稿入力画面３０でユーザによる「開始」ボタン３４の押下を検知すると、処理をＳ１０５へ移行し、「開始」ボタン３４の押下を検知しない場合は継続して原稿の読取りを行うため処理をＳ１０２へ移行する。
Ｓ１０５：ユーザインターフェイス部２０１は、Ｓ１０３においてＡＣＳ閾値調整用原稿入力画面３０でユーザによる「開始」ボタン３４の押下を検知すると、ＡＣＳ判定部２０４にＡＣＳ判定開始命令を通知する。
【００４６】
ＡＣＳ判定部２０４は、ＡＣＳ判定開始命令を受けると、一時データ保存部２０３からＳ１０３において読み取った複数の原稿の画像データおよび調整モードを取得し、複数の原稿の画像データ中のカラー画素数を算出する。
なお、カラー画素の判定は、ＲＧＢ色空間の階調情報を用いて判定（例えば、階調値が近い場合、モノクロ画素、階調値が離れている場合、カラー画素と判定）する方法やＣＩＥＬ＊ａ＊ｂ＊色空間を用いてカラー画素かモノクロ画素かを判定する方法等、公知の技術を用いて行うものとする。
【００４７】
Ｓ１０６：ＡＣＳ判定部２０４は、ＡＣＳ閾値調整処理において、複数の原稿の画像データから算出されたカラー画素数と、調整閾値としてのカラー原稿閾値とを比較し、カラー原稿閾値より大きいカラー画素数を有する原稿をカラー原稿と判定し、カラー原稿閾値より小さいカラー画素数を有する原稿をモノクロ原稿と判定するＡＣＳ判定を行う。
ＡＣＳ判定部２０４は、ＡＣＳ判定を終了すると、複数の原稿の画像データの判定結果および調整モードの情報をＡＣＳ閾値調整部２０５へ通知する。
【００４８】
Ｓ１０７：ＡＣＳ閾値調整部２０５は、Ｓ１０６において複数の原稿の画像データの判定結果および調整モードの情報を受け取ると、複数の原稿の画像データの判定結果がその調整モードとなるような最適なＡＣＳ閾値となるようにＡＣＳ閾値を決定するＡＣＳ閾値決定処理を行う。ＡＣＳ閾値調整部２０５は、ＡＣＳ閾値決定処理が完了すると、決定されたＡＣＳ閾値を用いて行った複数の原稿の画像データの判定の結果およびＡＣＳ閾値をユーザインターフェイス部２０１に通知する。なお、ＡＣＳ閾値決定処理の詳細は後述する。
ユーザインターフェイス部２０１は、複数の原稿の画像データの判定の結果およびＡＣＳ閾値を受け取ると、図３（ｄ）に示すＡＣＳ閾値調整結果表示画面４０をオペレーションパネル１０６に表示する。
【００４９】
Ｓ１０８：ユーザは、オペレーションパネル１０６に表示されたＡＣＳ閾値調整結果表示画面４０を参照し、ＡＣＳ閾値調整結果表示画面４０の「適用」ボタン４３または「消す」ボタンを押下するものとする。
ユーザインターフェイス部２０１は、ユーザによりＡＣＳ閾値調整結果表示画面４０の「適用」ボタン４３が押下されたことを検知すると、処理をＳ１０９へ移行し、「消す」ボタンが押下されたことを検知すると、処理をＳ１０２へ移行する。
【００５０】
Ｓ１０９：ユーザインターフェイス部２０１は、ユーザによりＡＣＳ閾値調整結果表示画面４０の「適用」ボタン４３が押下されたことを検知すると、図３（ｆ）に示すＡＣＳ閾値登録画面５０をオペレーションパネル１０６に表示する。
さらに、ユーザインターフェイス部２０１は、ユーザによりＡＣＳ閾値登録画面５０の「適用」ボタン５５が押下されたことを検知すると、ＡＣＳ閾値調整部２０５および閾値登録部２０６に閾値登録命令を通知する。ＡＣＳ閾値調整部２０５は、閾値登録命令を受け取ると、調整された閾値の情報を閾値登録部２０６に通知する。閾値登録部２０６は、調整された閾値の情報を受け取ると、その閾値の情報を画像処理装置２００に登録し、本処理を終了する。
【００５１】
なお、ユーザインターフェイス部２０１は、Ｓ１０１において、ＡＣＳ閾値調整設定画面２０で基本レベルベースまたは登録モードベースが選択され、「適用」ボタン２４が押下されたことを検知すると、選択された基本レベルベースまたは登録モードベースの情報を閾値登録部２０６に通知し、閾値登録部２０６がその情報を画像処理装置２００に登録し、本処理を終了する。
このようにして画像処理装置２００はＡＣＳ閾値調整処理を行う。
【００５２】
次に、画像処理装置が行うＡＣＳ閾値決定処理を説明する。
まず、図６の実施例におけるＡＣＳ閾値決定方法の説明図について説明する。
図６において、ＡＣＳ閾値決定方法を説明するための表６０は、調整用原稿６１、カラー画素数６２、ユーザ指定調整モード６３、カラー原稿閾値範囲６４、カラー原稿閾値（Ｔｈｄ２）６５、一致率６６、および判定結果６７で構成されている。
【００５３】
調整用原稿６１は、本実施例で用いた複数のＡＣＳ閾値調整用の原稿名を表している。本実施例では、カラー原稿（１〜４）を４枚、モノクロ原稿（１〜３）を３枚、２回に分けて画像処理装置２００のＡＤＦ１０５にセットして読み取った。
カラー画素数６２は、調整用原稿６１のそれぞれの原稿を読取った原稿画像データから検出されたカラー画素数を表している。
【００５４】
ユーザ指定調整モード６３は、読取ったＡＣＳ閾値調整用の原稿の判定モード（ｃｏｌｏｒ（カラーモード）／ｍｏｎｏ（モノクロモード））を表している。本実施例では、図３（ｃ）に示すＡＣＳ閾値調整用原稿入力画面３０で入力された原稿の判定モード（カラーモード／モノクロモード）である。
カラー原稿閾値範囲６４は、各原稿がユーザ指定調整モード６３で表された判定モードになるためのＡＣＳ閾値の調整範囲を表している。例えば、調整用原稿６１がカラー原稿４の場合、ＡＣＳ閾値の調整範囲が６１０未満、調整用原稿６１がモノクロ原稿１の場合、ＡＣＳ閾値の調整範囲が７００より大きいことを表している。
【００５５】
カラー原稿閾値（Ｔｈｄ２）６５は、各原稿がユーザ指定調整モード６３で表された判定モードになるためのＡＣＳ閾値を表している。例えば、調整用原稿６１がカラー原稿４の場合、ＡＣＳ閾値が６０９、調整用原稿６１がモノクロ原稿１の場合、ＡＣＳ閾値が７０１であることを表している。
一致率６６は、カラー原稿閾値（Ｔｈｄ２）６５で表された閾値でＡＣＳ判定された各原稿のＡＣＳ判定結果（カラーまたはモノクロ）と、ユーザ指定調整モード６３のモード（カラーまたはモノクロ）との一致率を表している。
【００５６】
例えば、カラー原稿閾値（Ｔｈｄ２）６５を７９９とした場合、カラー画素数６２が７９９より大きいカラー原稿１（カラー画素数６２＝８００）を「ｃｏｌｏｒ（カラー）」と判定し、カラー画素数６２が７９９以下のカラー原稿２〜４、およびモノクロ原稿１〜３を「ｍｏｎｏ（モノクロ）」と判定する。したがって、この場合、カラー原稿１、およびモノクロ原稿１〜３は、ＡＣＳ判定結果とユーザ指定調整モード６３のモードが一致し、カラー原稿２〜４はＡＣＳ判定結果とモードが不一致となり、一致率６６は４／７となる。
【００５７】
また、カラー原稿閾値（Ｔｈｄ２）６５を６０９とした場合、カラー画素数６２が６０９より大きいカラー原稿１〜４およびモノクロ原稿１を「ｃｏｌｏｒ（カラー）」と判定し、カラー画素数６２が６０９以下のモノクロ原稿２、３を「ｍｏｎｏ（モノクロ）」と判定する。したがって、この場合、カラー原稿１〜４、およびモノクロ原稿２、３は、ＡＣＳ判定結果とモードが一致し、モノクロ原稿１はＡＣＳ判定結果とユーザ指定調整モード６３のモードが不一致となり、一致率６６は６／７となる。
【００５８】
さらに、カラー原稿閾値（Ｔｈｄ２）６５を７０１とした場合、カラー画素数６２が７０１より大きいカラー原稿１を「ｃｏｌｏｒ（カラー）」と判定し、カラー画素数６２が７０１以下のカラー原稿２〜４およびモノクロ原稿１〜３を「ｍｏｎｏ（モノクロ）」と判定する。したがって、この場合、カラー原稿１、およびモノクロ原稿１〜３は、ＡＣＳ判定結果とユーザ指定調整モード６３のモードが一致し、カラー原稿２〜４はＡＣＳ判定結果とユーザ指定調整モード６３のモードが不一致となり、一致率６６は４／７となる。
【００５９】
本実施例では、ユーザ指定調整モード６３のモードがカラーの場合の最も小さいカラー原稿閾値６５（例えば、Ｔｈｄ２＝６０９）およびユーザ指定調整モード６３のモードがモノクロの場合の最も大きいカラー原稿閾値６５（例えば、Ｔｈｄ２＝７０１）のうち、一致率６６が最も高くなるカラー原稿閾値（例えば、Ｔｈｄ２＝６０９）をＡＣＳ閾値として採用する。
判定結果６７は、採用したカラー原稿閾値（例えば、Ｔｈｄ２＝６０９）での判定結果を表している。
【００６０】
次に、画像処理装置が行うＡＣＳ閾値決定処理を図５の実施例におけるＡＣＳ閾値決定処理の流れを示すフローチャートの図中Ｓが表すステップに従って図１、図２および図６を参照しながら説明する。
Ｓ２０１：ＡＣＳ閾値調整部２０５は、ＡＣＳ判定部２０４から複数の原稿の画像データのカラー画素数および調整モードの情報を受け取る。
【００６１】
ＡＣＳ閾値調整部２０５は、それぞれの原稿のカラー画素数および調整モードの情報を受け取ると、カラー画素数および調整モードの情報に基づいてカラー原稿閾値の範囲およびカラー原稿閾値を算出する。ここで、それぞれの原稿のカラー画素数は、図６に示すカラー画素数６２に相当し、それぞれの原稿の調整モードの情報は、図６に示すユーザ指定調整モード６３に相当する。
【００６２】
ＡＣＳ閾値調整部２０５は、それぞれの原稿の調整モードの情報が「ｃｏｌｏｒ（カラー）」の場合、カラー原稿閾値の範囲がカラー画素数より小さい範囲となるように、またそれぞれの原稿の調整モードの情報が「ｍｏｎｏ（モノクロ）」の場合、カラー原稿閾値の範囲がカラー画素数より大きい範囲となるように、それぞれの原稿に対してカラー原稿閾値の範囲を算出し、そのカラー原稿閾値の範囲に基づいてそれぞれの原稿に対するカラー原稿閾値を算出する。
【００６３】
ここで、カラー原稿閾値とは、調整用の閾値であり、カラーモードで複数の原稿を読取った場合、最小のカラー画素数から「１」を減算した値であり、モノクロモードで複数の原稿を読取った場合、最大のカラー画素数に「１」を加算した値である。
ＡＣＳ閾値調整部２０５は、原稿種別がカラーとして指定された原稿の画像毎のカラー原稿閾値を、ＡＣＳ判定部２０４で算出した原稿の画像毎のカラー画素数に１を減算して算出し、原稿種別がモノクロとして指定された原稿の画像毎のカラー原稿閾値を、ＡＣＳ判定部２０４で算出した原稿の画像毎のカラー画素数から１を加算して算出する。
【００６４】
例えば、図６に示すように、カラー原稿１から判別されたカラー画素数６２が８００であり、ユーザ指定調整モード６３が「ｃｏｌｏｒ（カラー）」である場合、当該原稿が「ｃｏｌｏｒ（カラー）」と判別されるように、カラー原稿閾値の範囲およびカラー原稿閾値を算出し、カラー原稿閾値は、カラー画素数６２の８００画素より１つ少ない７９９画素とし、またモノクロ原稿１から判別されたカラー画素数６２が７００であり、ユーザ指定調整モード６３が「ｍｏｎｏ（モノクロ）」である場合、当該原稿が「ｍｏｎｏ（モノクロ）」と判別されるように、カラー原稿閾値の範囲およびカラー原稿閾値を算出し、カラー原稿閾値は、カラー画素数６２の７００画素より１つ多い７０１画素とする。
このように、ＡＣＳ閾値調整部２０５が算出したカラー原稿閾値の範囲は、図６に示すカラー原稿閾値範囲６４となり、またカラー原稿閾値は、図６に示すカラー原稿閾値６５となる。
【００６５】
Ｓ２０２：ＡＣＳ閾値調整部２０５は、Ｓ２０１において算出したそれぞれの原稿に対するカラー原稿閾値に基づいてそれぞれの原稿に対してカラー原稿であるかモノクロ原稿であるかの判定を行い、その判定結果とユーザが指定した調整モードとの一致率を算出する。
この一致率は、図６に示す一致率６６であり、ＡＣＳ閾値調整部２０５は、それぞれのカラー原稿閾値６５について一致率６６を算出する。なお、一致率６６の算出方法は、上述した通りである。
【００６６】
Ｓ２０３：ＡＣＳ閾値調整部２０５は、モードがカラーの場合の最も小さいカラー原稿閾値およびモードがモノクロの場合の最も大きいカラー原稿閾値のうち、Ｓ２０２において算出した一致率が最も高いカラー原稿閾値をＡＣＳ閾値として決定し、本処理を終了する。
即ち、ＡＣＳ閾値調整部２０５は、原稿種別がカラーとして指定された原稿の画像毎のカラー原稿閾値のうち最も小さい値の第１の調整閾値と、原稿種別がモノクロとして指定された原稿の画像毎のカラー原稿閾値のうち最も大きい値の第２の調整閾値とを算出し、さらに、第１の調整閾値の一致率（Ｓ２０２において算出した一致率）と、第２の調整閾値の一致率（Ｓ２０２において算出した一致率）と比較し、一致率が高いカラー原稿閾値をＡＣＳ閾値と決定する。
【００６７】
例えば、図６に示すユーザ指定調整モード６３のモードがカラーの場合の最も小さいカラー原稿閾値６５（例えば、Ｔｈｄ２＝６０９）およびユーザ指定調整モード６３のモードがモノクロの場合の最も大きいカラー原稿閾値６５（例えば、Ｔｈｄ２＝７０１）のうち、一致率６６が最も高くなるカラー原稿閾値（例えば、Ｔｈｄ２＝６０９）をＡＣＳ閾値として決定する。
このように複数原稿の判定結果を考慮した上でＡＣＳ閾値を決定することにより、ＡＣＳ判定の精度を向上させる。モノクロ原稿をカラー原稿と判定することを抑制することによりカラートナーの消費量を抑制することができる。
【００６８】
本実施例の画像処理装置２００は、原稿読取部２０２が読取った原稿の画像毎に、ＡＣＳ判定部２０４によりカラー画素数を算出してＡＣＳ判定を行い、ＡＣＳ判定の結果が指定された原稿種別と一致するようにカラー原稿閾値を算出し、算出したそれぞれのカラー原稿閾値をＡＣＳ閾値としてすべての原稿の画像に対してカラーモノクロ判定し、カラーモノクロ判定結果と、指定された原稿種別との一致率を算出し、カラー原稿閾値と一致率に基づいてＡＣＳ閾値を決定し、調整するようにしたことにより、カラーモノクロ判定の精度を向上させることができる。
【００６９】
なお、本実施例では、ＡＣＳ閾値調整用の複数の原稿を複合機のＡＤＦにセットして原稿の画像を読み取るようにしたが、フラットベッドにセットして原稿の画像を読み取るようにしても良い。
また、本実施例では、ＡＣＳ閾値調整用の複数の原稿をカラーとモノクロに分けて調整モードを入力して指定するようにしたが、カラーとモノクロを混在させた複数の原稿の画像を読取った後、原稿別に調整モードを入力するようにしても良い。
【００７０】
以上説明したように、本実施例では、読取った原稿の画像毎に、ＡＣＳ判定を行い、ＡＣＳ判定の結果が指定された原稿種別と一致するようにカラー原稿閾値を算出するとともに、指定された原稿種別との一致率を算出し、算出したカラー原稿閾値と一致率に基づいてＡＣＳ閾値を決定し、調整するようにしたことにより、カラーモノクロ判定の精度を向上させることができるという効果が得られる。
【００７１】
また、調整されたＡＣＳ閾値を用いて複数の原稿のＡＣＳ判定結果を表示部に表示するようにしたことにより、ユーザは表示されたＡＣＳ判定結果を参照しながら適正なＡＣＳ閾値に調整することができるという効果が得られる。
なお、本実施例では、スキャナおよびプリンタを備えた画像形成装置としての複合機に画像処理装置を備えたものとして説明したが、それに限られることなく、スキャナを備えた画像読取装置に画像処理装置を備えたものとしても良い。
【符号の説明】
【００７２】
１００  複合機
１０１  スキャナ
１０２  載置台
１０３  イメージセンサ
１０４  載置台カバー
１０５  ＡＤＦ
１０６  オペレーションパネル
１０８  プリンタ
１０９  カセット
２００  画像処理装置
２０１  ユーザインターフェイス部
２０２  原稿読取部
２０３  一時データ保存部
２０４  ＡＣＳ判定部
２０５  ＡＣＳ閾値調整部
２０６  閾値登録部
【図１】
0006438852.tif 000002
【図２】
0006438852.tif 000003
【図３】
0006438852.tif 000004
【図４】
0006438852.tif 000005
【図５】
0006438852.tif 000006
【図６】
0006438852.tif 000007